(57)【特許請求の範囲】
【請求項１】
農業機械に設けられ且つ時刻を計時する計時部と、
農業機械に設けられ且つ前記農業機械が行った作業に関する作業情報を取得すると共に、前記作業情報を取得時における前記計時部の時刻を作業情報取得時刻として継続的に取得する作業情報取得部と、
前記作業情報取得部とは別に設けられ、且つ測位衛星の測位信号に基づく前記農業機械の位置を作業機位置として所定の時間間隔で継続的に取得すると共に、前記作業機位置の取得時に前記測位信号に基づいて求められた時刻を位置取得時刻として前記所定の時間間隔で継続的に取得する位置情報取得部と、
前記位置情報取得部が取得した作業機位置と前記作業情報取得部が取得した作業情報とを、前記測位信号に基づいて求められた前記位置取得時刻及び前記計時部の時刻に基づく前記作業情報取得時刻によって関連付けて実績情報として保存する実績情報保存部と、
指定された指定位置と前記実績情報保存部に保存された実績情報とに基づいて、前記指定位置に対応する作業機位置と該作業機位置での作業情報とを抽出する指定作業情報抽出部と、を備え
前記位置情報取得部は、前記農業機械に乗車した作業者が所持する携帯端末に設けられ、且つ当該測位衛星の測位信号に基づいて求めた位置を前記作業機位置として取得することを特徴とする作業情報抽出システム。
【請求項２】
農業機械に設けられ且つ時刻を計時する計時部と、
農業機械に設けられ且つ前記農業機械が行った作業に関する作業情報を取得すると共に、前記作業情報を取得時における前記計時部の時刻を作業情報取得時刻として継続的に取得する作業情報取得部と、
前記作業情報取得部とは別に設けられ、且つ測位衛星の測位信号に基づく前記農業機械の位置を作業機位置として所定の時間間隔で継続的に取得すると共に、前記作業機位置の取得時に前記測位信号に基づいて求められた時刻を位置取得時刻として前記所定の時間間隔で継続的に取得する位置情報取得部と、
前記位置情報取得部が取得した作業機位置と前記作業情報取得部が取得した作業情報とを、前記測位信号に基づいて求められた前記位置取得時刻及び前記計時部の時刻に基づく前記作業情報取得時刻によって関連付けて実績情報として保存する実績情報保存部と、
指定された指定位置と前記実績情報保存部に保存された作業機位置及び位置取得時刻とに基づいて、前記指定位置に対応する作業機位置と該作業機位置での位置取得時刻を抽出し、前記抽出した位置取得時刻と前記実績情報保存部に保存された作業情報及び作業情報取得時刻とに基づいて、前記抽出した位置取得時刻に対応する作業情報取得時刻を抽出すると共に、抽出した作業情報取得時刻での作業情報を抽出する指定作業情報抽出部と、を備え、
前記位置情報取得部は、前記農業機械に乗車した作業者が所持する携帯端末に設けられ、且つ当該測位衛星の測位信号に基づいて求めた位置を前記作業機位置として取得するもことを特徴とする作業情報抽出システム。
【請求項３】
前記農業機械が作業を行う作業場所の位置を示す作業場所マップを格納する作業場所格納部を備え、
前記作業場所格納部は、前記作業場所マップ上で指定された位置を、前記指定された指定位置として前記指定作業情報抽出部に出力することを特徴とする請求項１又は請求項２に記載の作業情報抽出システム。
【請求項４】
農業機械に設けられ且つ時刻を計時する計時部と、
農業機械に設けられ且つ前記農業機械が行った作業に関する作業情報を取得すると共に、前記作業情報を取得時における前記計時部の時刻を作業情報取得時刻として継続的に取得する作業情報取得部と、
前記作業情報取得部とは別に設けられ、且つ測位衛星の測位信号に基づく前記農業機械の位置を作業機位置として所定の時間間隔で継続的に取得すると共に、前記作業機位置の取得時に前記測位信号に基づいて求められた時刻を位置取得時刻として前記所定の時間間隔で継続的に取得する位置情報取得部と、
前記位置情報取得部が取得した作業機位置と前記作業情報取得部が取得した作業情報とを、前記測位信号に基づいて求められた前記位置取得時刻及び前記計時部の時刻に基づく前記作業情報取得時刻によって関連付けて実績情報として保存する実績情報保存部と、
指定された指定時刻と前記実績情報保存部に保存された実績情報とに基づいて、前記指定時刻に対応する位置取得時刻又は前記指定時刻に対応する作業情報取得時刻を抽出し、抽出した位置取得時刻又は作業情報取得時刻での作業情報を抽出する指定作業情報抽出部と、を備え、
前記位置情報取得部は、前記農業機械に乗車した作業者が所持する携帯端末に設けられ、且つ当該測位衛星の測位信号に基づいて求めた位置を前記作業機位置として取得するもことを特徴とする作業情報抽出システム。
【請求項５】
農業機械に設けられ且つ時刻を計時する計時部と、
農業機械に設けられ且つ前記農業機械が行った作業に関する作業情報を取得すると共に、前記作業情報を取得時における前記計時部の時刻を作業情報取得時刻として継続的に取得する作業情報取得部と、
前記作業情報取得部とは別に設けられ、且つ測位衛星の測位信号に基づく前記農業機械の位置を作業機位置として所定の時間間隔で継続的に取得すると共に、前記作業機位置の取得時に前記測位信号に基づいて求められた時刻を位置取得時刻として前記所定の時間間隔で継続的に取得する位置情報取得部と、
前記位置情報取得部が取得した作業機位置と前記作業情報取得部が取得した作業情報とを、前記測位信号に基づいて求められた前記位置取得時刻及び前記計時部の時刻に基づく前記作業情報取得時刻によって関連付けて実績情報として保存する実績情報保存部と、
指定された指定時刻と前記実績情報保存部に保存された作業機位置、位置取得時刻、作業情報、及び作業情報取得時刻とに基づいて、前記指定時刻に対応する位置取得時刻及び作業情報取得時刻を抽出すると共に、前記抽出した位置取得時刻での作業機位置及び作業情報取得時刻での作業情報を抽出する指定作業情報抽出部と、を備え、
前記位置情報取得部は、前記農業機械に乗車した作業者が所持する携帯端末に設けられ、且つ当該測位衛星の測位信号に基づいて求めた位置を前記作業機位置として取得するもことを特徴とする作業情報抽出システム。
【請求項６】
前記作業機位置が、衛星測位システムを用いて得られる位置であることを特徴とする請求項１〜５のいずれかに記載の作業情報抽出システム。
【請求項７】
前記位置取得時刻と前記作業情報取得時刻とが、前記衛星測位システムを基準として同期していることを特徴とする請求項６に記載の作業情報抽出システム。
【請求項８】
農業機械に設けられた計時部と、農業機械に設けられた作業情報取得部と、前記作業情報取得部とは別に設けられた位置情報取得部と、実績情報保存部と、指定作業情報抽出部とを備える作業情報抽出システムの動作方法であって、
前記作業情報取得部が、農業機械が行った作業に関する作業情報を取得すると共に、前記作業情報の取得時における前記計時部で計時した時刻を作業情報取得時刻として継続的に取得する作業情報取得工程と、
前記位置情報取得部が、測位衛星の測位信号に基づいて前記農業機械に乗車した作業者が所持する携帯端末の位置を検出し且つ前記携帯端末の位置を前記農業機械の位置とし、且つ、前記農業機械の位置を示す作業機位置を所定の時間間隔で継続的に取得すると共に、前記作業機位置の取得時に前記測位信号に基づいて求められた時刻を位置取得時刻として前記所定の時間間隔で継続的に取得する位置情報取得工程と、
前記実績情報保存部が、前記位置情報取得工程で取得した作業機位置と前記作業情報取得工程で取得した作業情報とを、前記測位信号に基づいて求められた前記位置取得時刻及び前記計時部の時刻に基づく前記作業情報取得時刻によって関連付けて実績情報として保存する実績情報保存工程と、
前記指定作業情報抽出部が、指定された指定位置と前記実績情報保存工程で保存された実績情報とに基づいて、前記指定位置に対応する作業機位置と該作業機位置での作業情報とを抽出する指定作業情報抽出工程と、
を備えることを特徴とする作業情報抽出システムの動作方法。
【請求項９】
農業機械に設けられた計時部と、農業機械に設けられた作業情報取得部と、前記作業情報取得部とは別に設けられた位置情報取得部と、実績情報保存部と、指定作業情報抽出部とを備える作業情報抽出システムの動作方法であって、
前記作業情報取得部が、農業機械が行った作業に関する作業情報を取得すると共に、前記作業情報の取得時における前記計時部で計時した時刻を作業情報取得時刻として継続的に取得する作業情報取得工程と、
前記位置情報取得部が、測位衛星の測位信号に基づいて前記農業機械に乗車した作業者が所持する携帯端末の位置を検出し且つ前記携帯端末の位置を前記農業機械の位置とし、且つ、前記農業機械の位置を示す作業機位置を所定の時間間隔で継続的に取得すると共に、前記作業機位置の取得時に前記測位信号に基づいて求められた時刻を位置取得時刻として前記所定の時間間隔で継続的に取得する位置情報取得工程と、
前記実績情報保存部が、前記位置情報取得工程で取得した作業機位置と前記作業情報取得工程で取得した作業情報とを、前記測位信号に基づいて求められた前記位置取得時刻及び前記計時部の時刻に基づく前記作業情報取得時刻によって関連付けて実績情報として保存する実績情報保存工程と、
前記指定作業情報抽出部が、指定された指定位置と前記実績情報保存工程で保存された作業機位置及び位置取得時刻とに基づいて、前記指定位置に対応する作業機位置と該作業機位置での位置取得時刻を抽出し、前記抽出した位置取得時刻と前記実績情報保存工程で保存された作業情報及び作業情報取得時刻とに基づいて、前記抽出した位置取得時刻に対応する作業情報取得時刻を抽出すると共に、抽出した作業情報取得時刻での作業情報を抽出する指定作業情報抽出工程と、を備えることを特徴とする作業情報抽出システムの動作方法。
【請求項１０】
前記作業情報抽出システムは、作業場所格納部を備え、
前記作業場所格納部が、前記農業機械が作業を行う作業場所の位置を示す作業場所マップを表示し、当該作業場所マップ上で示された圃場を前記指定位置として指定する圃場指定工程、を備えていることを特徴とする請求項８又は請求項９に記載の作業情報抽出システムの動作方法。
【請求項１１】
農業機械に設けられた計時部と、農業機械に設けられた作業情報取得部と、前記作業情報取得部とは別に設けられた位置情報取得部と、実績情報保存部と、指定作業情報抽出部とを備える作業情報抽出システムの動作方法であって、
前記作業情報取得部が、農業機械が行った作業に関する作業情報を取得すると共に、前記作業情報の取得時における前記計時部で計時した時刻を作業情報取得時刻として継続的に取得する作業情報取得工程と、
前記位置情報取得部が、測位衛星の測位信号に基づいて前記農業機械に乗車した作業者が所持する携帯端末の位置を検出し且つ前記携帯端末の位置を前記農業機械の位置とし、且つ、前記農業機械の位置を示す作業機位置を所定の時間間隔で継続的に取得すると共に、前記作業機位置の取得時に前記測位信号に基づいて求められた時刻を位置取得時刻として前記所定の時間間隔で継続的に取得する位置情報取得工程と、
前記実績情報保存部が、前記位置情報取得工程で取得した作業機位置と前記作業情報取得工程で取得した作業情報とを、前記測位信号に基づいて求められた前記位置取得時刻及び前記計時部の時刻に基づく前記作業情報取得時刻によって関連付けて実績情報として保存する実績情報保存工程と、
前記指定作業情報抽出部が、指定された指定時刻と前記実績情報保存工程で保存された実績情報とに基づいて、前記指定時刻に対応する位置取得時刻又は前記指定時刻に対応する作業情報取得時刻を抽出し、抽出した位置取得時刻又は作業情報取得時刻での作業情報を抽出する指定作業情報抽出工程と、を備えることを特徴とする作業情報抽出システムの動作方法。
【請求項１２】
農業機械に設けられた計時部と、農業機械に設けられた作業情報取得部と、前記作業情報取得部とは別に設けられた位置情報取得部と、実績情報保存部と、指定作業情報抽出部とを備える作業情報抽出システムの動作方法であって、
前記作業情報取得部が、農業機械が行った作業に関する作業情報を取得すると共に、前記作業情報の取得時における前記計時部で計時した時刻を作業情報取得時刻として継続的に取得する作業情報取得工程と、
前記位置情報取得部が、測位衛星の測位信号に基づいて前記農業機械に乗車した作業者が所持する携帯端末の位置を検出し且つ前記携帯端末の位置を前記農業機械の位置とし、且つ、前記農業機械の位置を示す作業機位置を所定の時間間隔で継続的に取得すると共に、前記作業機位置の取得時に前記測位信号に基づいて求められた時刻を位置取得時刻として前記所定の時間間隔で継続的に取得する位置情報取得工程と、
前記実績情報保存部が、前記位置情報取得工程で取得した作業機位置と前記作業情報取得工程で取得した作業情報とを、前記測位信号に基づいて求められた前記位置取得時刻及び前記計時部の時刻に基づく前記作業情報取得時刻によって関連付けて実績情報として保存する実績情報保存工程と、
前記指定作業情報抽出部が、指定された指定時刻と前記実績情報保存工程で保存された作業機位置、位置取得時刻、作業情報及び作業情報取得時刻とに基づいて、前記指定時刻に対応する位置取得時刻及び作業情報取得時刻を抽出すると共に、前記抽出した位置取得時刻での作業機位置及び作業情報取得時刻での作業情報を抽出する指定作業情報抽出工程と、を備えることを特徴とする作業情報抽出システムの動作方法。
【発明の詳細な説明】
【技術分野】
【０００１】
本発明は、農業機械から作業情報を抽出して取得するための作業情報抽出システム及び作業情報抽出システムの動作方法に関する。
【背景技術】
【０００２】
近年、衛星測位システムを用いて、自動車や歩行者などの位置を検出する技術が様々に開発されている。農業分野でも、圃場で作業している農業機械の位置を検出するために、ＧＰＳ（Global Positioning System）を用いた位置検出技術の開発が進められている。例えば、特許文献１に示すように、農業機械にＧＰＳを搭載することで農業機械が存在する圃場の位置を検出する技術がある。
【０００３】
特許文献１は、ＧＰＳ付作業機を用いて圃場位置を認識するための技術であって、作業機に搭載されたＧＰＳにより検出されたＧＰＳデータと位置座標が重なる圃場位置の認識を行う圃場位置認識システムを開示する。この圃場位置認識システムは、ＧＰＳデータと圃場位置データとの重なりを、ＧＰＳデータが圃場位置データ内に所定の割合以上あるか否かで判定するか、又はＧＰＳデータの平均位置が圃場位置データの平均位置から所定の距離内にあるか否かで判定するものである。
【０００４】
特許文献１の圃場位置認識システムによれば、電子地図データがなくとも、解析した位置座標を用いて圃場を特定することができるとされている。
また近年、圃場での作業計画の効率化や収穫物の品質等を高めるため、圃場での作業内容など圃場に関する圃場データを収集して活用する試みがなされている。例えば、特許文献２は、トラクタやコンバインなどの農業機械を用いて圃場データを収集する技術を開示している。
【０００５】
特許文献２に開示の農業機械のデ−タ収集装置は、農業機械に装着され、本機側のデ−タを通信ラインを介して管理端末器に送信するように構成されたデ−タ収集装置において、該管理端末器の記憶装置内に設定されるデ−タフアイルを自動的に作成するように構成すると共に、そのファイル名には、少なくとも作業した日付、機械の識別コ−ド、作業者名、圃場番号の各要素の１つ、若しくは複数が含まれていることを特徴とするものである。
【０００６】
特許文献２のデ−タ収集装置によれば、パソコンを用いなくても圃場等で簡単に作業デ−タの分析作業が行なえるとされている。
【先行技術文献】
【特許文献】
【０００７】
【特許文献１】特許第４６６７０６０号公報
【特許文献２】特開平０６−２３１３２９号公報
【発明の概要】
【発明が解決しようとする課題】
【０００８】
近年の農業は、圃場毎の農作業計画の管理を効率化することだけでなく、圃場で生産される農作物の品質を高めるために、実施した作業内容などの圃場データを、単に圃場毎に収集するだけでなく圃場内での詳細な位置に対応付けてできるだけ簡易に収集し管理することが課題となっている。
ところが、特許文献１の圃場位置認識システムは、ただ単に農業機械が存在する圃場を特定するだけであり、農業機械が圃場で行った作業内容を収集するものではない。また、特許文献２の農業機械のデ−タ収集装置は、収集したデータを単に分類及び整理（ファイリング）するだけであり、そのファイリングには、作業者による圃場番号の入力など多くの人手による作業を要求する構成となっている。
【０００９】
このように、従来の技術では、農業機械が圃場で行った作業内容を圃場毎に簡便に収集することは困難であるので、圃場毎の農作業計画の管理を効率化することも、農作業実績を圃場毎に管理することも容易ではない。
そこで本発明は、上記課題に鑑みて、圃場などで農業機械が行った作業についての情報（作業情報）を簡単に取得することができると共に、取得した作業情報を農業機械の位置に対応させて簡単に抽出することができる作業情報抽出システム及び作業情報抽出システムの動作方法を提供することを目的とする。
【課題を解決するための手段】
【００１０】
前記目的を達成するために、本発明は、次の手段を講じた。
即ち、作業情報抽出システムによれば、農業機械に設けられ且つ時刻を計時する計時部と、農業機械に設けられ且つ前記農業機械が行った作業に関する作業情報を取得すると共に、前記作業情報を取得時における前記計時部の時刻を作業情報取得時刻として継続的に取得する作業情報取得部と、前記作業情報取得部とは別に設けられ、且つ測位衛星の測位信号に基づく前記農業機械の位置を作業機位置として所定の時間間隔で継続的に取得すると共に、前記作業機位置の取得時に前記測位信号に基づいて求められた時刻を位置取得時刻として前記所定の時間間隔で継続的に取得する位置情報取得部と、前記位置情報取得部が取得した作業機位置と前記作業情報取得部が取得した作業情報とを、前記測位信号に基づいて求められた前記位置取得時刻及び前記計時部の時刻に基づく前記作業情報取得時刻によって関連付けて実績情報として保存する実績情報保存部と、指定された指定位置と前記実績情報保存部に保存された実績情報とに基づいて、前記指定位置に対応する作業機位置と該作業機位置での作業情報とを抽出する指定作業情報抽出部と、を備え、前記位置情報取得部は、前記農業機械に乗車した作業者が所持する携帯端末に設けられ、且つ当該測位衛星の測位信号に基づいて求めた位置を前記作業機位置として取得することを特徴とする。
【００１１】
作業情報抽出システムによれば、農業機械に設けられ且つ時刻を計時する計時部と、農業機械に設けられ且つ前記農業機械が行った作業に関する作業情報を取得すると共に、前記作業情報を取得時における前記計時部の時刻を作業情報取得時刻として継続的に取得する作業情報取得部と、前記作業情報取得部とは別に設けられ、且つ測位衛星の測位信号に基づく前記農業機械の位置を作業機位置として所定の時間間隔で継続的に取得すると共に、前記作業機位置の取得時に前記測位信号に基づいて求められた時刻を位置取得時刻として前記所定の時間間隔で継続的に取得する位置情報取得部と、前記位置情報取得部が取得した作業機位置と前記作業情報取得部が取得した作業情報とを、前記測位信号に基づいて求められた前記位置取得時刻及び前記計時部の時刻に基づく前記作業情報取得時刻によって関連付けて実績情報として保存する実績情報保存部と、指定された指定位置と前記実績情報保存部に保存された作業機位置及び位置取得時刻とに基づいて、前記指定位置に対応する作業機位置と該作業機位置での位置取得時刻を抽出し、前記抽出した位置取得時刻と前記実績情報保存部に保存された作業情報及び作業情報取得時刻とに基づいて、前記抽出した位置取得時刻に対応する作業情報取得時刻を抽出すると共に、抽出した作業情報取得時刻での作業情報を抽出する指定作業情報抽出部と、を備え、前記位置情報取得部は、前記農業機械に乗車した作業者が所持する携帯端末に設けられ、且つ当該測位衛星の測位信号に基づいて求めた位置を前記作業機位置として取得することを特徴とする。
【００１２】
作業情報抽出システムによれば、前記農業機械が作業を行う作業場所の位置を示す作業場所マップを格納する作業場所格納部を備え、前記作業場所格納部は、前記作業場所マップ上で指定された位置を、前記指定された指定位置として前記指定作業情報抽出部に出力することを特徴とする。
作業情報抽出システムによれば、農業機械に設けられ且つ時刻を計時する計時部と、農業機械に設けられ且つ前記農業機械が行った作業に関する作業情報を取得すると共に、前記作業情報を取得時における前記計時部の時刻を作業情報取得時刻として継続的に取得する作業情報取得部と、前記作業情報取得部とは別に設けられ、且つ測位衛星の測位信号に基づく前記農業機械の位置を作業機位置として所定の時間間隔で継続的に取得すると共に、前記作業機位置の取得時に前記測位信号に基づいて求められた時刻を位置取得時刻として前記所定の時間間隔で継続的に取得する位置情報取得部と、前記位置情報取得部が取得した作業機位置と前記作業情報取得部が取得した作業情報とを、前記測位信号に基づいて求められた前記位置取得時刻及び前記計時部の時刻に基づく前記作業情報取得時刻によって関連付けて実績情報として保存する実績情報保存部と、指定された指定時刻と前記実績情報保存部に保存された実績情報とに基づいて、前記指定時刻に対応する位置取得時刻又は前記指定時刻に対応する作業情報取得時刻を抽出し、抽出した位置取得時刻又は作業情報取得時刻での作業情報を抽出する指定作業情報抽出部と、を備え、前記位置情報取得部は、前記農業機械に乗車した作業者が所持する携帯端末に設けられ、且つ当該測位衛星の測位信号に基づいて求めた位置を前記作業機位置として取得することを特徴とする。
【００１３】
作業情報抽出システムによれば、農業機械に設けられ且つ時刻を計時する計時部と、農業機械に設けられ且つ前記農業機械が行った作業に関する作業情報を取得すると共に、前記作業情報を取得時における前記計時部の時刻を作業情報取得時刻として継続的に取得する作業情報取得部と、前記作業情報取得部とは別に設けられ、且つ測位衛星の測位信号に基づく前記農業機械の位置を作業機位置として所定の時間間隔で継続的に取得すると共に、前記作業機位置の取得時に前記測位信号に基づいて求められた時刻を位置取得時刻として前記所定の時間間隔で継続的に取得する位置情報取得部と、前記位置情報取得部が取得した作業機位置と前記作業情報取得部が取得した作業情報とを、前記測位信号に基づいて求められた前記位置取得時刻及び前記計時部の時刻に基づく前記作業情報取得時刻によって関連付けて実績情報として保存する実績情報保存部と、指定された指定時刻と前記実績情報保存部に保存された作業機位置、位置取得時刻、作業情報、及び作業情報取得時刻とに基づいて、前記指定時刻に対応する位置取得時刻及び作業情報取得時刻を抽出すると共に、前記抽出した位置取得時刻での作業機位置及び作業情報取得時刻での作業情報を抽出する指定作業情報抽出部と、を備え、前記位置情報取得部は、前記農業機械に乗車した作業者が所持する携帯端末に設けられ、且つ当該測位衛星の測位信号に基づいて求めた位置を前記作業機位置として取得することを特徴とする。
【００１４】
作業情報抽出システムによれば、前記作業機位置が、衛星測位システムを用いて得られる位置であることを特徴とする。
作業情報抽出システムによれば、前記位置取得時刻と前記作業情報取得時刻とが、前記衛星測位システムを基準として同期していることを特徴とする。
作業情報抽出システムの動作方法によれば、農業機械に設けられた計時部と、農業機械に設けられた作業情報取得部と、前記作業情報取得部とは別に設けられた位置情報取得部と、実績情報保存部と、指定作業情報抽出部とを備える作業情報抽出システムの動作方法であって、前記作業情報取得部が、農業機械が行った作業に関する作業情報を取得すると共に、前記作業情報の取得時における前記計時部で計時した時刻を作業情報取得時刻として継続的に取得する作業情報取得工程と、前記位置情報取得部が、測位衛星の測位信号に基づいて前記農業機械に乗車した作業者が所持する携帯端末の位置を検出し且つ前記携帯端末の位置を前記農業機械の位置とし、且つ、前記農業機械の位置を示す作業機位置を所定の時間間隔で継続的に取得すると共に、前記作業機位置の取得時に前記測位信号に基づいて求められた時刻を位置取得時刻として前記所定の時間間隔で継続的に取得する位置情報取得工程と、前記実績情報保存部が、前記位置情報取得工程で取得した作業機位置と前記作業情報取得工程で取得した作業情報とを、前記測位信号に基づいて求められた前記位置取得時刻及び前記計時部の時刻に基づく前記作業情報取得時刻によって関連付けて実績情報として保存する実績情報保存工程と、前記指定作業情報抽出部が、指定された指定位置と前記実績情報保存工程で保存された実績情報とに基づいて、前記指定位置に対応する作業機位置と該作業機位置での作業情報とを抽出する指定作業情報抽出工程と、を備えることを特徴とする。
【００１５】
作業情報抽出システムの動作方法によれば、農業機械に設けられた計時部と、農業機械に設けられた作業情報取得部と、前記作業情報取得部とは別に設けられた位置情報取得部と、実績情報保存部と、指定作業情報抽出部とを備える作業情報抽出システムの動作方法であって、前記作業情報取得部が、農業機械が行った作業に関する作業情報を取得すると共に、前記作業情報の取得時における前記計時部で計時した時刻を作業情報取得時刻として継続的に取得する作業情報取得工程と、前記位置情報取得部が、測位衛星の測位信号に基づいて前記農業機械に乗車した作業者が所持する携帯端末の位置を検出し且つ前記携帯端末の位置を前記農業機械の位置とし、且つ、前記農業機械の位置を示す作業機位置を所定の時間間隔で継続的に取得すると共に、前記作業機位置の取得時に前記測位信号に基づいて求められた時刻を位置取得時刻として前記所定の時間間隔で継続的に取得する位置情報取得工程と、前記実績情報保存部が、前記位置情報取得工程で取得した作業機位置と前記作業情報取得工程で取得した作業情報とを、前記測位信号に基づいて求められた前記位置取得時刻及び前記計時部の時刻に基づく前記作業情報取得時刻によって関連付けて実績情報として保存する実績情報保存工程と、前記指定作業情報抽出部が、指定された指定位置と前記実績情報保存工程で保存された作業機位置及び位置取得時刻とに基づいて、前記指定位置に対応する作業機位置と該作業機位置での位置取得時刻を抽出し、前記抽出した位置取得時刻と前記実績情報保存工程で保存された作業情報及び作業情報取得時刻とに基づいて、前記抽出した位置取得時刻に対応する作業情報取得時刻を抽出すると共に、抽出した作業情報取得時刻での作業情報を抽出する指定作業情報抽出工程と、を備えることを特徴とする。
【００１６】
作業情報抽出システムの動作方法によれば、前記作業情報抽出システムは、作業場所格納部を備え、前記作業場所格納部が、前記農業機械が作業を行う作業場所の位置を示す作業場所マップを表示し、当該作業場所マップ上で示された圃場を前記指定位置として指定する圃場指定工程、を備えていることを特徴とする。
作業情報抽出システムの動作方法によれば、農業機械に設けられた計時部と、農業機械に設けられた作業情報取得部と、前記作業情報取得部とは別に設けられた位置情報取得部と、実績情報保存部と、指定作業情報抽出部とを備える作業情報抽出システムの動作方法であって、前記作業情報取得部が、農業機械が行った作業に関する作業情報を取得すると共に、前記作業情報の取得時における前記計時部で計時した時刻を作業情報取得時刻として継続的に取得する作業情報取得工程と、前記位置情報取得部が、測位衛星の測位信号に基づいて前記農業機械に乗車した作業者が所持する携帯端末の位置を検出し且つ前記携帯端末の位置を前記農業機械の位置とし、且つ、前記農業機械の位置を示す作業機位置を所定の時間間隔で継続的に取得すると共に、前記作業機位置の取得時に前記測位信号に基づいて求められた時刻を位置取得時刻として前記所定の時間間隔で継続的に取得する位置情報取得工程と、前記実績情報保存部が、前記位置情報取得工程で取得した作業機位置と前記作業情報取得工程で取得した作業情報とを、前記測位信号に基づいて求められた前記位置取得時刻及び前記計時部の時刻に基づく前記作業情報取得時刻によって関連付けて実績情報として保存する実績情報保存工程と、前記指定作業情報抽出部が、指定された指定時刻と前記実績情報保存工程で保存された実績情報とに基づいて、前記指定時刻に対応する位置取得時刻又は前記指定時刻に対応する作業情報取得時刻を抽出し、抽出した位置取得時刻又は作業情報取得時刻での作業情報を抽出する指定作業情報抽出工程と、を備えることを特徴とする。
【００１７】
作業情報抽出システムの動作方法によれば、農業機械に設けられた計時部と、農業機械に設けられた作業情報取得部と、前記作業情報取得部とは別に設けられた位置情報取得部と、実績情報保存部と、指定作業情報抽出部とを備える作業情報抽出システムの動作方法であって、前記作業情報取得部が、農業機械が行った作業に関する作業情報を取得すると共に、前記作業情報の取得時における前記計時部で計時した時刻を作業情報取得時刻として継続的に取得する作業情報取得工程と、前記位置情報取得部が、測位衛星の測位信号に基づいて前記農業機械に乗車した作業者が所持する携帯端末の位置を検出し且つ前記携帯端末の位置を前記農業機械の位置とし、且つ、前記農業機械の位置を示す作業機位置を所定の時間間隔で継続的に取得すると共に、前記作業機位置の取得時に前記測位信号に基づいて求められた時刻を位置取得時刻として前記所定の時間間隔で継続的に取得する位置情報取得工程と、前記実績情報保存部が、前記位置情報取得工程で取得した作業機位置と前記作業情報取得工程で取得した作業情報とを、前記測位信号に基づいて求められた前記位置取得時刻及び前記計時部の時刻に基づく前記作業情報取得時刻によって関連付けて実績情報として保存する実績情報保存工程と、前記指定作業情報抽出部が、指定された指定時刻と前記実績情報保存工程で保存された作業機位置、位置取得時刻、作業情報及び作業情報取得時刻とに基づいて、前記指定時刻に対応する位置取得時刻及び作業情報取得時刻を抽出すると共に、前記抽出した位置取得時刻での作業機位置及び作業情報取得時刻での作業情報を抽出する指定作業情報抽出工程と、を備えることを特徴とする。
【発明の効果】
【００１８】
請求項１、請求項２、請求項８及び請求項９によれば、農業機械で作業したと思われる位置（例えば、圃場の位置）を指定するだけで、圃場等で農業機械が行った作業に関する作業情報を簡単に取得することができると共に、取得した作業情報を指定した位置に対応させて簡単に抽出することができる。そのため、例えば、農作業の終了後に、農作業を行った圃場を指定するだけで、指定した圃場での農作業の実績を作業情報によって簡単に確認することが可能となり、作業者の農作業管理の負担を大きく低減することができる。
【００１９】
請求項３及び請求項１０によれば、複数の圃場で農業機械を用いて農作業を実施した後であっても、作業場所格納部の圃場マップ上で圃場を指定すれば、指定した圃場に対応する作業情報を容易かつ簡便に抽出することができる。これによって、作業者は、どの圃場でどのような作業を実施したかについて、作業中に記憶する必要も記録する必要もなくなり、農作業管理の負担を大きく低減することができる。さらに、農作業の記録における誤りが減少するので、圃場毎の農作業計画の管理負担を軽減することができる。
【００２０】
請求項４、請求項５、請求項１１、及び請求項１２によれば、農業機械で作業したと思われる時刻を指定するだけで、指定した時刻に農業機械が行った作業情報を、農業機械の位置である作業機位置と共に簡単に抽出することができる。そのため、例えば、農作業の終了後に、農作業を行った時刻を指定するだけで、指定した時刻での農作業の実績を作業情報によって簡単に確認することが可能となり、作業者の農作業管理の負担を大きく低減することができる。
【００２１】
請求項６によれば、農作業を実施した位置である農業機械の移動の軌跡を、容易かつ正確に検出することができる。これによって、農作業を実施した圃場を非常に正確に管理することができる。
請求項７によれば、農作業を実施した時間を容易かつ正確に検出することができる。これによって、農作業を実施した圃場のみならず農作業時間まで非常に正確に管理することができる。
【図面の簡単な説明】
【００２２】
【図１】本発明の作業情報抽出システムの概略を示す図である。
【図２】本発明の第１実施形態による作業情報抽出システムの構成を示すブロック図である。
【図３】位置情報取得部によって取得された位置情報テーブルを示す図である。
【図４】トラクタの移動の軌跡を例示する図である。
【図５】作業情報取得部によって取得された作業情報テーブルを示す図である。
【図６】実績情報保存部によって作成された実績情報テーブルを示す図である。
【図７】第１実施形態による作業情報抽出システムの動作を表すフローチャートである。
【図８】実績情報テーブルから抽出作業情報テーブルを取得する過程を説明する図である。
【図９】第１実施形態による作業情報抽出システムの変形例を示すブロック図である。
【図１０】本発明の第２実施形態による作業情報抽出システムの構成を示すブロック図である。
【図１１】第２実施形態による作業情報抽出システムの動作を表すフローチャートである。
【図１２】位置情報テーブル及び作業情報テーブルから抽出作業情報テーブルを取得する過程を説明する図である。
【図１３】本発明の第３実施形態による作業情報抽出システムの構成を示すブロック図である。
【図１４】第３実施形態による作業情報抽出システムの動作を示すフローチャートである。
【図１５】本発明の第４実施形態による作業情報抽出システムの構成を示すブロック図である。
【図１６】第４実施形態による作業情報抽出システムの動作を示すフローチャートである。
【図１７】本発明の各実施形態によるトラクタの全体構成を示す概略図である。
【発明を実施するための形態】
【００２３】
以下に、図面を参照しながら、本発明の各実施形態を説明する。
［第１実施形態］
図を参照しながら、本発明の第１実施形態による作業情報抽出システム１ａについて説明する。
図１は、本実施形態による作業情報抽出システム１ａの概略を示す図である。図１に示すように、作業情報抽出システム１ａは、例えば全地球測位システム（ＧＰＳ）などの衛星測位システム２を利用する。周知の通り衛星測位システム２は、人工衛星軌道上にある複数の測位衛星２１で構成されるシステムであり、各測位衛星２１が、地球上での緯度・経度に基づく座標位置を示す位置情報及び時刻情報を含む測位信号を地上に向けて送信している。
【００２４】
作業情報抽出システム１ａは、衛星測位システム２からの測位信号を受信することで測位信号の受信位置（すなわち現在位置）を検出する携帯端末３と、圃場８などで実施した農作業の内容やその農作業の結果である圃場データ等を農作業情報（作業情報）として収集するトラクタやコンバインなどの農業機械（農作業機）と、を備えている。本実施形態では、農業機械の一例としてトラクタ４を例示する。なお、携帯端末３がトラクタ４内（特にトラクタ４の運転席内）にあれば、衛星測位システム２からの測位信号に基づいて検出された携帯端末３の現在位置を、トラクタ４の現在位置である作業機位置（作業機位置情報）として扱うことができる。
【００２５】
その上で作業情報抽出システム１ａは、トラクタ４が収集した作業情報及び携帯端末３で検出した作業機位置（作業機位置情報）を、トラクタ４を所有する農家５や営農集団の農業管理センター６などに設置されたパーソナルコンピュータ（ＰＣ）などの情報処理端末７ａに蓄積し、特定の圃場８の位置に対応する作業情報を抽出する。このような構成の作業情報抽出システム１ａで抽出された特定の圃場８の作業情報は、該圃場８で実施された農作業の日報作成や農作業計画の立案等に用いられる。
【００２６】
図２を参照しながら、作業情報抽出システム１ａについて詳細に説明する。図２は、作業情報抽出システム１ａの構成を示すブロック図であり、上述の衛星測位システム２に加えて、作業情報抽出システム１ａを構成する携帯端末３、トラクタ４、及び情報処理端末７ａを示している。
携帯端末３は、例えばスマートフォンと呼ばれる高機能携帯電話やタブレットＰＣ等の携帯型コンピュータであり、データの入出力インタフェイスとして例えば液晶のタッチパネルを採用している。携帯端末３は、衛星測位システム２からの信号を受信する受信機として働く位置情報取得部３１を備えている。
【００２７】
図２に示す携帯端末３に備えられた位置情報取得部３１は、例えば３〜４基といった複数の測位衛星２１からの測位信号を受信して、地球上での携帯端末３の現在位置を示す緯度・経度や高度（標高）を取得すると共に、測位信号に含まれる時刻情報を用いて現在位置の取得時刻である位置取得時刻を取得するものである。上述したように、作業者が携帯端末３をトラクタ４内に持ち込めば、携帯端末３の現在位置を、トラクタ４の現在位置を示す作業機位置（作業機位置情報）として取得することができ、該作業機位置情報の取得時間を位置取得時間として取得することができる。
【００２８】
図３は、携帯端末３の位置情報取得部３１によって取得された作業機位置及び位置取得時刻を示した位置情報テーブル３００を示す図である。位置情報テーブル３００では、緯度及び経度で表された作業機位置（作業機位置情報）に、該作業機位置が取得された時刻（位置取得時刻）が対応づけられおり、トラクタ４が各作業機位置に存在した時刻が示されている。
【００２９】
図３に示す位置情報テーブル３００の最上段には、作業機位置の取得を開始した位置取得時刻として「Apr 2 13:00:10 2012」が示されており、該位置取得時刻における作業機位置が、緯度34.549821，経度135.477496であることが示されている。この位置取得時刻は、２０１２年４月（Apr）２日１３時００分１０秒を意味している。また、位置情報テーブル３００の最下段には、作業機位置の取得を終了した位置取得時刻として「Apr 2 14:02:41 2012」が示されており、該位置取得時刻における作業機位置が、緯度34.549821，経度135.477496であることが示されており、作業機位置の取得開始位置に戻ってきたことがわかる。図３のように位置取得時刻が示された位置情報テーブル３００によれば、１秒間隔で作業機位置が取得されたことがわかる。この作業機位置の取得は、１秒に限らず任意の間隔でよい。
【００３０】
位置情報取得部３１は、図３に示すような、作業機位置に位置取得時刻が対応づけられた位置情報テーブル３００を作成し保持する。携帯端末３は、位置情報取得部３１が保持する位置情報テーブル３００を、携帯電話回線及び近距離無線通信を介して外部に送信することができる。
次に、図２、図４及び図１７を参照しながら、トラクタ４の構成について説明する。
【００３１】
図１７は、トラクタ４の全体構成を示す概略図である。
図１７に示すように、トラクタ４は、前後に車輪が取り付けられた走行車両（走行車体）９０に、エンジン９１、変速装置９２等が搭載されて構成されている。エンジン９１の後方には、独立搭載型のキャビン９３が設けられており、キャビン９３内に運転席９４が設けられている。
【００３２】
また、走行車両９０の後部には、３点リンク機構９５が昇降可能に設けられると共に、エンジン９１からの動力を伝達するＰＴＯ軸９６が設けられている。３点リンク機構９５には、肥料散布装置９７、耕耘装置、農薬散布装置、播種散布装置、収穫装置などの作業装置が着脱自在となっている。本実施形態では、図１７に示すように肥料散布装置９７が３点リンク機構９５に取りつけられている。肥料散布装置９７はＰＴＯ軸９６にも接続されるので、ＰＴＯ軸９６の回転駆動力によって肥料散布装置９７を動作させて肥料の散布（施肥）を行う。
【００３３】
図２に示すように、上述の構成のトラクタ４は、トラクタ４全体を制御する制御装置（制御部）４１を備えており、制御部４１は、エンジンキーなどからの入力を受けるとエンジンを始動し、運転席９４の周囲に設けられた操作レバーや操作スイッチなどの操作具からの入力を受けると、入力の大きさに従って走行（車速）、３点リンク機構９５の昇降、ＰＴＯ軸９６の出力（回転数）などを制御することができる。
【００３４】
また、肥料散布装置９７には肥料散布装置９７の動作を制御するための操作パネルが設けられており、作業者がこの操作パネルのスイッチ類を操作することによって、肥料散布装置９７の動作に関する設定を様々に変更することができる。３点リンク機構９５に取り付けられている肥料散布装置９７に対しては、操作パネルによって、例えば肥料の種類や散布量の設定を変更することができる。
【００３５】
肥料の散布量としては、単位面積（例えば１０アール）当たりの肥料の散布量（例えばキログラム）を設定する。肥料散布装置９７は、操作パネルによる制御下で、トラクタ４の車速に応じて肥料の散布量を調整しつつ、操作パネルでの設定値に従って肥料が散布されるように肥料散布を行う。
ここで、肥料散布装置９７と操作パネルとの間では、制御用の信号が有線または無線で送受信される。また操作パネルは、肥料散布装置９７の近傍に設置されてもよいし、キャビン内の運転席９４近傍に設置されていてもよい。
【００３６】
図４に示すように、上述のように構成されたトラクタ４は、農家５の納屋を出て圃場に向かい、複数ある圃場８（８Ａ〜８Ｄ）のうちの、例えば圃場８Ａ及び８Ｂで施肥を行うとする。作業者がトラクタ４内に持ち込んだ携帯端末３は、農家５の納屋の出発から、圃場８Ａ及び８Ｂでの施肥を終了し納屋に戻って来るまで作業機位置を取得し続ける。このとき取得した作業機位置と、該作業機位置に対応付けられた位置取得時刻は、図３に示す位置情報テーブル３００として携帯端末３の位置情報取得部３１に保持される。
【００３７】
図３の位置情報テーブル３００では、位置取得時刻「Apr 2 13:00:10 2012」に農家５の納屋を出発して圃場８Ａ及び８Ｂでの施肥を終了し、位置取得時刻「Apr 2 14:02:41 2012」に納屋に戻って来たとする。
図２に戻って、トラクタ４は、上述の制御装置（制御部）４１に加えて、計時装置（計時部）４２と、作業情報取得装置（作業情報取得部）４３と、を有している。制御部４１、計時部４２、作業情報取得部４３、及び肥料散布装置９７の操作パネルは、車両通信ネットワーク（例えば、Controller Area Network、FlexRayなど）によって接続されていて、互いに信号（データ）の送受信を行う。また、制御部４１は、近距離の無線通信（ＷｉＦｉ（登録商標）、Ｂｌｕｅｔｏｏｔｈ（登録商標）、ＺｉｇＢｅｅ（登録商標）など）機能を有しており、この近距離無線通信機能によって携帯端末３との間でデータを送受信する。
【００３８】
計時部４２は、測位衛星２１から送信された測位信号に含まれる時刻情報を、携帯端末３から制御部４１を介して取得し、携帯端末３と同期した時刻を刻む時計である。つまり、計時部４２の時刻は、衛星測位システム２を基準として携帯端末３の時刻と同期している。
作業情報取得部４３は、トラクタ４などの農業機械が行った農作業に関する農作業情報（作業情報）を取得すると共に、作業情報を取得した時間である作業情報取得時間を計時部４２から取得するものである。作業情報取得部４３は、取得した作業情報及び作業情報取得時間を保存する。
【００３９】
例えば、作業装置として肥料散布装置９７が用いられている場合、作業情報取得部４３は、作業情報として肥料散布装置９７によって散布した肥料散布量を当該肥料散布装置９７などから取得する。詳しくは、肥料散布装置９７を作動させると、肥料散布量は、車両通信ネットワーク上に出力される。この車両通信ネットワーク上に出力された肥料散布量を作業情報取得部４３は取得する。
【００４０】
また、作業情報取得部４３は、上述した肥料散布量の他に、該肥料散布量を取得したときの車速及びＰＴＯの回転数なども制御部４１などから取得する。
加えて、作業情報取得部４３は、作業情報を取得した時刻を作業情報取得時間として計時部４２から取得し、作業情報と作業情報取得時間を関連付けて保存する。
なお、肥料散布装置９７は、トラクタ４の車速に応じて肥料散布量を変化させる手段が具備されており、車速が高ければ単位時間あたりに肥料散布装置９７から吐出される肥料散布量は多くなり、車速が低ければ単位時間あたりの肥料散布量は少なくなる。そのため、作業情報取得部４３は、車速の変化に応じた肥料散布量を取得することができる。
【００４１】
図５は、トラクタ４の作業情報取得部４３によって取得され関連付けられた作業情報及び作業情報取得時刻を示した作業情報テーブル４００を示す図である。作業情報テーブル４００では、作業情報として示されるトラクタ４の車速（ｋｍ/ｈ）、ＰＴＯ回転数（ｒｐｍ）、及び肥料散布量（ｋｇ）に、作業情報を取得した時刻（作業情報取得時刻）が対応づけられている。
【００４２】
図５に示す作業情報テーブル４００では、図３に示す位置取得時刻と同じ表記方法で作業情報取得時刻が示されている。図５に示す作業情報テーブル４００の最上段には、作業情報取得時刻として、肥料散布装置９７が動作を始めた時刻、つまり肥料散布量の検出が始まった時刻「Apr 2 13:20:00 2012」が示されており、作業情報として、車速１．５０ｋｍ/ｈ、ＰＴＯ回転数３１８ｒｐｍ、及び肥料散布量０．０８ｋｇが対応付けられて示されている。肥料散布量の検出が始まると、作業情報取得部４３は１秒毎に作業情報の検出を行い、検出した作業情報と作業情報取得時刻とを対応付けて作業情報テーブル４００に格納する。作業情報取得部４３は、肥料散布装置９７の動作が終了して肥料散布量が検出できなくなると作業情報の検出を終了する。
【００４３】
図５に示す作業情報テーブル４００において、作業情報の取得は、時刻「Apr 2 13:20:00 2012」に開始した後、時刻「Apr 2 13:32:59 2012」で一旦終了しているが、時刻「Apr 2 13:45:18 2012」に再び開始されている。再開された作業情報の取得は、時刻「Apr 2 13:53:26 2012」で終了している。
ここで、作業情報テーブル４００は、時刻「Apr 2 13:20:00 2012」から時刻「Apr 2 13:32:59 2012」までの連続した約１３分間の作業情報を一連の作業情報とし、続く時刻「Apr 2 13:45:18 2012」から時刻「Apr 2 13:53:26 2012」までの連続した約８分間の作業情報をもう一つの一連の作業情報として保持しているといえる。
【００４４】
作業情報取得部４３は、上述の通り、作業情報に作業情報取得時間が対応づけられた作業情報テーブル４００を作成し保持する。作業情報取得部４３は、例えば制御部４１が有する近距離無線通信機能によって、保持する作業情報テーブル４００を携帯端末３に送信することができる。これによって、作業情報取得部４３が保持する作業情報テーブル４００は、携帯端末３を介してトラクタ４の外部に送信される。
【００４５】
続いて、図２を参照しながら、トラクタ４を所有する農家５や営農集団の農業管理センター６などに設置されたパーソナルコンピュータ（ＰＣ）などの情報処理端末７ａについて説明する。
情報処理端末７ａは、実績情報テーブル５００を作成し保存する実績情報保存部７１ａと、指定された位置（指定位置）と実績情報保存部７１ａに保存された実績情報テーブル５００とから作業情報を得る（抽出する）指定作業情報抽出部７２ａと、圃場など予め定められた作業場所のマップ（地図）を格納する作業場所格納部７３と、を有する。
【００４６】
実績情報保存部７１ａは、例えば、図４に示す位置情報テーブル３００と図５に示す作業情報テーブル４００とを携帯端末３から取得し、取得した両テーブルに基づいて、図６に示す実績情報テーブル５００を作成し保存するものである。
図６は、実績情報テーブル５００を示す図である。実績情報テーブル５００は、図３の位置情報テーブル３００と作業情報テーブル４００とを組み合わせて得られるテーブルである。
【００４７】
具体的には、実績情報保存部７１ａは、位置情報テーブル３００の位置取得時刻と作業情報テーブル４００の作業情報取得時刻を比較して、位置取得時刻と一致する作業情報取得時刻を検出する。その上で、実績情報保存部７１ａは、互いに一致する位置取得時刻と作業情報取得時刻を重ねあわせるように位置情報テーブル３００と作業情報テーブル４００とを組み合わせて実績情報テーブル５００を得る。これによって、互いに一致する位置取得時刻と作業情報取得時刻において、作業位置と作業情報とが対応付けられる。
【００４８】
例えば、図６の実績情報テーブル５００において、位置取得時刻又は作業情報取得時刻「Apr 2 13:20:00 2012」での作業機位置「緯度：34.560269，経度：135.467894」と、作業情報「車速：1.50，ＰＴＯ回転数：318，肥料散布量：0.08」とが対応付けられている。
作業場所格納部７３は、農業機械が作業を行う圃場など作業場所の位置を示す作業場所マップ（圃場マップ）を格納している。圃場マップとは、複数の圃場に関するデータ（圃場の緯度や経度のデータ）から構成されたもので、例えば図４に示すような地図であり、複数の圃場８Ａ〜８Ｄが平面図として示されるものである。
【００４９】
また、作業場所格納部７３は、圃場マップ上の圃場が選択（指定）されると、選択（指定）された圃場の位置を示す緯度及び経度の情報（緯度経度情報）を作業場所格納部７３内のデータから読み出し、緯度経度情報を指定位置として後述する指定作業情報抽出部７２ａに出力する。圃場の選択（指定）は、例えば、情報処理端末７ａの表示装置に圃場マップを表示しておき、情報処理端末７ａの入力装置を用いて表示装置に表示された圃場マップの中から、圃場を選択することにより行う。
【００５０】
指定作業情報抽出部７２ａは、作業場所格納部７３から出力された圃場位置の緯度経度情報（指定位置）を受信すると、実績情報保存部７１ａが保存する実績情報テーブル５００を参照し、受信した圃場位置と一致する作業機位置（作業機位置情報）に対応付けられた作業情報を、実績情報テーブル５００から抽出する。
具体的には、指定作業情報抽出部７２ａは、圃場マップ上での圃場８Ａの指定によって作業場所格納部７３から出力された圃場８Ａの位置情報（緯度及び経度）を受信すると、実績情報テーブル５００を参照する。その上で、指定作業情報抽出部７２ａは、指定された圃場８Ａの位置情報（指定位置）に一致する作業機位置を実績情報テーブル５００上で抽出し、抽出した作業機位置に対応付けられた作業情報を抽出（取得）する。さらに、指定作業情報抽出部７２ａは、抽出した作業情報を圃場８Ａについての作業情報として保持する。この一連の動作によって、圃場マップ上で指定された圃場８Ａの作業情報が得られる。
【００５１】
このように、本実施形態による作業情報抽出システム１ａでは、携帯端末３に備えられた位置情報取得部３１が、農業機械の位置を示す作業機位置情報を取得すると共に、作業機位置情報の取得時刻である位置取得時刻を取得し、位置情報テーブル３００を作成する。一方、トラクタ４に備えられた作業情報取得部４３は、トラクタ４が行った作業に関する作業情報を取得すると共に、作業情報の取得時刻である作業情報取得時刻を取得し、作業情報テーブル４００を作成する。その上で、農家５に備えられた情報処理端末７ａの実績情報保存部７１ａは、携帯端末３の位置情報取得部３１から作業機位置情報を示す位置情報テーブル３００を取得し、トラクタ４の作業情報取得部４３から作業情報を示す作業情報テーブル４００を取得し、取得した位置情報テーブル３００の作業機位置情報と作業情報テーブル４００の作業情報とを位置取得時刻及び作業情報取得時刻によって関連付けて実績情報テーブル５００に保存する。情報処理端末７ａの指定作業情報抽出部７２ａは、実績情報保存部７１ａが保存する実績情報テーブル５００と指定位置とを基に、作業機位置情報に対応付けられた作業情報を抽出し取得する。
【００５２】
図２〜図８を参照しながら、本実施形態による作業情報抽出システム１ａの動作について説明する。図７は、作業情報抽出システム１ａの動作を表すフローチャートであり、図８は、実績情報テーブル５００と実績情報テーブル５００から抽出された圃場ごとの作業情報とを示す図である。
まず、作業者がトラクタ４に乗車する前又は乗車した直後において携帯端末３の電源が投入され、携帯端末３の入出力インタフェイスを介して入力された指示によって位置情報取得部３１が起動する。起動した位置情報取得部３１は、測位衛星２１からの測位信号の受信を開始して、トラクタ４の位置を示す作業機位置情報を緯度及び経度の組み合わせによって１秒毎に取得し、作業機位置情報の取得と同時に作業機位置情報の取得時刻である位置取得時刻を取得する。以降、位置情報取得部３１は、作業機位置情報及び位置取得時刻を継続的に取得して、取得した順に図３に示す位置情報テーブル３００に保持する（ステップＳ１０：位置情報取得工程）。
【００５３】
図４に示すように、携帯端末３を携帯した作業者が乗車したトラクタ４は、位置情報テーブル３００における位置取得時刻「Apr 2 13:00:10 2012」に農家５を出発し、圃場８（８Ａ）に向かう。トラクタ４が圃場８Ａに到着すると、肥料散布装置９７の操作パネルによって肥料散布量が設定され、トラクタ４は圃場８Ａに乗り入れる。トラクタ４は、圃場８Ａで肥料散布装置９７の動作を開始するとともに、圃場８Ａでの走行を開始することで施肥を開始する（ステップＳ１１）。
【００５４】
このとき、トラクタ４の作業情報取得部４３は、肥料散布装置９７からトラクタ４の車両通信ネットワーク上に出力された肥料散布量を取得し、該肥料散布量を取得したときの車速及びＰＴＯの回転数なども作業情報としてトラクタ４の制御部４１から取得する。また、作業情報取得部４３は、作業情報を取得した時刻を作業情報取得時刻として計時部４２から取得する。以降、肥料散布装置９７の動作が停止して施肥が終了するまで、作業情報取得部４３は、作業情報及び作業情報取得時刻を継続的に取得して、取得した順に図５に示す作業情報テーブル４００に保持する（ステップＳ１２：作業情報取得工程）。
【００５５】
圃場８Ａでの施肥を終えて肥料散布装置９７の動作が停止すると、作業情報取得部４３は、作業情報及び作業情報取得時刻の取得を停止し、トラクタ４は圃場８Ａを出る。圃場８Ａを出たトラクタ４は、図４に示す地点Ｐで停車して、肥料の補充など次の圃場８Ｂでの作業準備を行う。携帯端末３の位置情報取得部３１は、トラクタ４が圃場８Ａを出て地点Ｐで作業準備をしている間も、作業機位置情報及び位置取得時刻を継続的に取得する。
【００５６】
作業準備が整ったトラクタ４は、圃場８Ｂに乗り入れて肥料散布装置９７を動作させ、施肥を開始する。肥料散布装置９７の動作が始まると、作業情報取得部４３は、ステップＳ１２と同様の動作で、肥料散布装置９７の動作が停止して施肥が終了するまで作業情報及び作業情報取得時刻を継続的に取得して、取得した順に図５に示す作業情報テーブル４００に保持する。
【００５７】
トラクタ４が圃場８Ｂにおける農作業（施肥）を終了して農家５へ戻ると、携帯端末３の位置情報取得部３１には、図３に示す位置情報テーブル３００のように、農家５を出発した位置取得時刻「Apr 2 13:00:10 2012」から再び農家５に戻って来た位置取得時刻「Apr 2 14:02:41 2012」までの作業機位置情報が、移動の軌跡として保持されている。トラクタ４が農家５へ戻れば、携帯端末３の入出力インタフェイスを介して、位置情報取得部３１に作業情報及び作業情報取得時刻の取得を停止させる指示を出してもよい。
【００５８】
また、トラクタ４が農家５へ戻ると、トラクタ４の作業情報取得部４３には、図５に示す作業情報テーブル４００のように、圃場８Ａにおけるトラクタ４の作業情報と、圃場８Ｂにおけるトラクタ４の作業情報とが、作業履歴として保持されている（ステップＳ１３）。
トラクタ４が農家５へ戻った後、携帯端末３は、トラクタ４の作業情報取得部４３から図５の作業情報テーブル４００を取得する。この後に携帯端末３は、位置情報取得部３１に保持された図４の位置情報テーブル３００と、トラクタ４の作業情報取得部４３から取得した図５の作業情報テーブル４００とを、Ｗｉ-Ｆｉなどの無線通信接続又は有線接続によって、農家５に備えられた情報処理端末７ａに出力する（ステップＳ１４）。
【００５９】
情報処理端末７ａの実績情報保存部７１ａは、携帯端末３から出力された位置情報テーブル３００と作業情報テーブル４００とを受信する。このとき、実績情報保存部７１ａは、受信した位置情報テーブル３００と作業情報テーブル４００とを、位置情報テーブル３００の位置取得時刻及び作業情報テーブル４００の作業情報取得時刻に基づいて関連付けて、図６に示す実績情報テーブル５００として保存する（ステップＳ１５：実績情報保存工程）。
【００６０】
この後に情報処理端末７ａの作業場所格納部７３は、格納している図３の圃場マップを、情報処理端末７ａの表示装置に表示させる。施肥を実施した圃場８Ａ及び圃場８Ｂが、表示された圃場マップ上でキーボードやマウスなどの入力装置を用いて指定される（ステップＳ１６：圃場指定工程）。
作業場所格納部７３は、圃場マップ上で圃場８Ａ及び圃場８Ｂが指定されると、指定された圃場８Ａ及び圃場８Ｂの緯度経度情報（指定位置）を、情報処理端末７ａの指定作業情報抽出部７２ａに出力する（ステップＳ１７：圃場指定工程）。
【００６１】
図８に示すように、指定作業情報抽出部７２ａは、実績情報保存部７１ａの実績情報テーブル５００を参照し、圃場マップ上で指定された圃場８Ａ及び圃場８Ｂの緯度経度情報（指定位置）に一致（相当）する作業機位置を、実績情報テーブル５００から検出する。その上で、検出された作業機位置に対応付けられた作業情報を抽出し、圃場８Ａの抽出作業情報テーブルＲ１と、圃場８Ｂの抽出作業情報テーブルＲ２とを取得する。
【００６２】
例えば、図８の実績情報テーブル５００において、圃場８Ａの緯度経度情報（指定位置）に相当する作業機位置が検出されると、検出された作業機位置に対応付けられた作業情報を抽出して、圃場８Ａの緯度経度情報である作業機位置と当該作業機位置での作業情報を示す抽出作業情報テーブルＲ１を作成する。抽出作業情報テーブルＲ１によれば、例えば、作業機位置「緯度：34.560269，経度：135.467894」での作業情報は、「車速：1.50，ＰＴＯ回転数：318，肥料散布量：0.08」であることがわかる。圃場８Ｂについても、同様の方法で抽出作業情報テーブルＲ２が作成される（ステップＳ１８：指定作業情報抽出工程）。
【００６３】
以上の動作を経て得られた圃場８Ａ及び圃場８Ｂの作業情報（抽出作業情報テーブルＲ１と、圃場８Ｂの抽出作業情報テーブルＲ２）を、例えば、情報処理端末７ａの表示装置に表示したり、情報処理端末７ａの印刷機能を用いて印刷機にて印刷したり、情報処理端末７ａを介して携帯端末３に送信して携帯端末３に表示したりすることで、圃場８Ａ及び圃場８Ｂで実施した農作業の日報作成や農作業計画の立案等に役立てることができる。
【００６４】
以上のように、本実施形態の作業情報抽出システム１ａによれば、トラクタ４に保持された農作業の内容を、圃場毎に容易に抽出することができる。本実施形態では、作業場所格納部７３の圃場マップ上で圃場８Ａ〜８Ｄのそれぞれを指定すれば、各圃場に対応する作業情報を容易かつ簡便に抽出することができる。
つまり、農作業を実施した位置（圃場の位置）は携帯端末３で管理され、実施した農作業の内容はトラクタ４で管理される。従って、作業者は、どの圃場でどのような作業を実施したかについて、作業中に記憶する必要も記録する必要もなくなり、農作業管理の負担を大きく低減することができる。また、農作業の記録における誤りが減少するので、圃場毎の農作業計画の管理負担を軽減することができる。
【００６５】
なお、トラクタ４に設けられた制御部４１、作業情報取得部４３、及び計時部４２、携帯端末３に設けられた位置情報取得部３１、情報処理端末７ａに設けられた実績情報保存部７１ａ、指定作業情報抽出部７２ａ、及び作業場所格納部７３は、ＣＰＵなどの演算回路や半導体記憶媒体を含んで構成されたマイクロコントローラ（集積回路）と、この集積回路を動作させるプログラムによって実現されている。
【００６６】
ここで高機能携帯電話（スマートフォン）などの携帯端末３は、パーソナルコンピュータなどの情報処理端末７ａとほぼ同等の演算処理を行うだけでなく、データの入出力及び表示が可能である。従って、情報処理端末７ａの実績情報保存部７１ａ、指定作業情報抽出部７２ａ、及び作業場所格納部７３を、携帯端末３に設けて、図９に示す携帯端末３０として構成することもできる。
【００６７】
このように情報処理端末７ａの構成を携帯端末３０内に設けても、上述した動作と同様の動作を経て、各圃場に対応する作業情報を容易かつ簡便に抽出することができる。
［第２実施形態］
本発明の第２実施形態による作業情報抽出システム１ｂについて説明する。
第２実施形態による作業情報抽出システム１ｂは、第１実施形態と異なって、位置情報テーブル３００と作業情報テーブル４００を予め関連付けた（対応付けた）実績情報テーブル５００を作成せずに、作業情報を抽出できるようにしたものである。上述した第１実施形態及び第２実施形態と異なる構成について説明する。
【００６８】
図１０に示すように、作業情報抽出システム１ｂのブロック図は、第１実施形態における構成とほぼ同じであるが、図１０に示した実績情報保存部７１ｂ及び指定作業情報抽出部７２ｂの構成及び動作が、第１実施形態における実績情報保存部７１ａ及び指定作業情報抽出部７２ａと異なる。
本実施形態による実績情報保存部７１ｂは、位置情報取得部３１から取得した図４に示す位置情報テーブル３００と、作業情報取得部４３から取得した図５に示す作業情報テーブル４００とを、対応付けることなく別々に保存するものである。
【００６９】
指定作業情報抽出部７２ｂは、実績情報保存部７１ｂに保存された位置情報テーブル３００の作業機位置情報と指定された指定位置とに基づいて、位置情報デーブル３００から指定位置に対応（一致）する作業機位置を抽出する。また、指定作業情報抽出部７２ｂは、位置情報テーブル３００を参照して、抽出した作業機位置に対応する位置取得時刻を抽出する。そして、指定作業情報抽出部７２ｂは、位置情報テーブル３００から抽出した位置取得時刻と作業情報テーブル４００の作業情報取得時刻とを照合して、位置取得時刻に対応（一致）する作業情報取得時刻を抽出する。さらに、指定作業情報抽出部７２ｂは、抽出した作業情報取得時刻と対応する作業情報を作業情報テーブル４００から抽出し、これより、指定された作業機位置情報に対応する作業情報を得るものである。即ち、指定作業情報抽出部７２ｂは、作業情報テーブル４００から抽出した作業情報と指定された指定位置に対応する作業機位置とを関連付ける。
【００７０】
具体的には、指定作業情報抽出部７２ｂは、情報処理端末７ａの入力装置によって圃場マップ上のいずれかの圃場が指定されると、作業場所格納部７３から出力された緯度経度情報（指定位置）を受信する。圃場位置の緯度経度情報を受信した指定作業情報抽出部７２ｂは、実績情報保存部７１ｂに別々に保持された位置情報テーブル３００と作業情報テーブル４００を参照して、第１実施形態で説明した抽出作業情報テーブルＲ１や抽出作業情報テーブルＲ２など作業機位置と作業情報を対応付けたテーブルを作成する。
【００７１】
図１１を参照しながら、上述の実績情報保存部７１ｂ及び指定作業情報抽出部７２ｂを備える作業情報抽出システム１ｂの動作について説明する。図１１は、本実施形態による作業情報抽出システム１ｂの動作を説明するフローチャートである。
図１１のフローチャートに示すステップＳ１０〜Ｓ１４、Ｓ１６、Ｓ１７の各動作は、図７に示す第１実施形態のフローチャートにおける同一符号のステップの動作とほぼ同様である。従って、図１１のフローチャートに示すステップＳ２０及びＳ２１の動作について、以下に説明する。
【００７２】
図１１におけるステップＳ１４に続いて、情報処理端末７ｂは、携帯端末３から出力された位置情報テーブル３００と作業情報テーブル４００とを受信する。このとき、情報処理端末７ｂの実績情報保存部７１ｂは、受信した位置情報テーブル３００と作業情報テーブル４００を、互いに対応付けることなく別々に保存する（ステップＳ２０：実績情報保存工程）。
【００７３】
続くステップＳ１６にて圃場８Ａ及び圃場８Ｂが指定されると、ステップＳ１７にて作業場所格納部７３は、指定された圃場８Ａ及び圃場８Ｂの緯度経度情報（指定位置）を、情報処理端末７ｂの指定作業情報抽出部７２ｂに出力する。
図１２を参照しながら説明を続ける。指定作業情報抽出部７２ｂは、ステップＳ１７で出力された圃場８Ａ及び圃場８Ｂの緯度経度情報（指定位置）を受信すると、実績情報保存部７１ｂの位置情報テーブル３００を参照する。指定作業情報抽出部７２ｂは、図１２に示すように、圃場８Ａ及び圃場８Ｂの緯度経度情報（指定位置）に一致する作業機位置を、位置情報テーブル３００から抽出し、抽出した作業機位置に対応付けられた位置取得時間を取得する。これにより、各圃場毎の位置取得時間を得ることができる。
【００７４】
各圃場毎の位置取得時間の取得に続いて、指定作業情報抽出部７２ｂは、作業情報テーブル４００を参照する。指定作業情報抽出部７２ｂは、参照した作業情報テーブル４００において、圃場毎に位置取得時刻と一致する作業情報取得時刻を抽出し、抽出した作業情報取得時刻に対応した一連の作業情報を抽出する。そして、指定作業情報抽出部７２ｂは、このように抽出した一連の作業情報と各圃場の位置である作業機位置とを関連付けたテーブルを作成する。指定作業情報抽出部７２ｂは、例えば、圃場８Ａと一連の作業情報とが関連付けられた抽出作業情報テーブルＲ１を作成し、圃場８Ｂと一連の作業情報とが関連付けられた圃場８Ｂの抽出作業情報テーブルＲ２を作成する（ステップＳ２１：指定作業情報抽出工程）。
【００７５】
本実施形態によっても、以上の動作を経て得られた圃場８Ａ及び圃場８Ｂの作業情報を用いれば、圃場８Ａ及び圃場８Ｂで実施した農作業の日報作成や農作業計画の立案等を行うことができる。
以上のように、本実施形態の作業情報抽出システム１ｂによっても、トラクタ４に保持された農作業の内容を、圃場毎に容易に抽出することができる。本実施形態においても、作業場所格納部７３の圃場マップ上で圃場８Ａ〜８Ｄのそれぞれを指定すれば、各圃場に対応する作業情報を容易かつ簡便に抽出することができる。
【００７６】
つまり、農作業を実施した位置（圃場の位置）は携帯端末３で管理され、実施した農作業の内容はトラクタ４で管理される。従って、作業者は、どの圃場でどのような作業を実施したかについて、作業中に記憶する必要も記録する必要もなくなり、農作業管理の負担を大きく低減することができる。また、農作業の記録における誤りが減少するので、圃場毎の農作業計画の管理負担を軽減することができる。
【００７７】
上述の実施形態と同様に、本実施形態においても、情報処理端末７ｂの実績情報保存部７１ｂ、指定作業情報抽出部７２ｂ、及び作業場所格納部７３を、携帯端末３に設けて、図９に示す携帯端末３０と同様の構成とすることもできる。
このように情報処理端末７ｂの構成を携帯端末３０内に設けても、上述した動作と同様の動作を経て、各圃場に対応する作業情報を容易かつ簡便に抽出することができる。
【００７８】
［第３実施形態］
本発明の第３実施形態による作業情報抽出システム１ｃについて説明する。
第２実施形態による作業情報抽出システム１ｂでは、作業機位置などの位置を指定することによって作業情報を抽出するようにした第１実施形態及び第２実施形態とは異なり、時刻を指定することによって作業情報を抽出するようにしたものである。上述した第１実施形態及び第２実施形態と異なる構成について説明する。
【００７９】
図１３に示すように、作業情報抽出システム１ｃのブロック図は、第１実施形態における構成とほぼ同じであるが、指定作業情報抽出部７２ｃの構成及び動作が、第１実施形態における指定作業情報抽出部７２ａと異なる。
実績情報保存部７１ａは、図６に示す実績情報テーブル５００を保持している。また、指定作業情報抽出部７２ｃは、実績情報保存部７１ａに保存された実績情報テーブル５００を参照して、指定された時刻（指定時刻）に対応する作業機位置情報及び作業情報を取得するものである。つまり、指定作業情報抽出部７２ｃは、第１実施形態のように圃場の指定によらず、指定時刻によって、図８に示す抽出作業情報テーブルＲ１や抽出作業情報テーブルＲ２など作業機位置と作業情報を対応付けたテーブルを作成する。
【００８０】
詳しくは、指定作業情報抽出部７２ｃは、情報処理端末７ｃのキーボードやマウスなどの入力装置を用いて指定時刻が指定されると、実績情報保存部７１ａが保存する図６実績情報テーブル５００を参照し、指定された指定時刻に対応（一致）する位置取得時刻又は作業情報取得時刻を抽出し、抽出した位置取得時刻又は作業情報取得時刻に対応する作業情報を、実績情報テーブル５００から抽出する。また、指定作業情報抽出部７２ｃは、位置取得時刻（作業情報取得時刻）に対応する作業機位置を抽出する。そして、指定作業情報抽出部７２ｃは、位置取得時刻又は作業情報取得時刻に基づいて抽出された作業情報と作業機位置とを関連付けて、抽出作業情報テーブルＲ１や抽出作業情報テーブルＲ２を作成する。
【００８１】
図８及び図１４を参照しながら、本実施形態による作業情報抽出システム１ｃの動作について説明する。図１４は、本実施形態による作業情報抽出システム１ｃの動作を説明するフローチャートである。
図１４のフローチャートに示すステップＳ１０〜Ｓ１５の各動作は、図７に示す第１実施形態のフローチャートにおける同一符号のステップの動作とほぼ同様である。従って、図１４のフローチャートに示すステップＳ３０〜Ｓ３２の動作について、以下に説明する。
【００８２】
図１４におけるステップＳ１５で、実績情報保存部７１ａは、図６に示す実績情報テーブル５００を保存する。その後、情報処理端末７ｃのキーボードやマウスなどの入力装置を用いて、圃場８Ａで農作業を実施した時刻と圃場８Ｂで農作業を実施した時刻とが指定される。指定作業情報抽出部７２ｃは、これら指定された時刻（指定時刻）を、図６に示す実績情報テーブル５００における作業情報取得時刻（又は位置取得時刻）として受信する（ステップＳ３０）。
【００８３】
このとき作業情報取得時刻（又は位置取得時刻）としては、農作業の開始時刻から終了時刻までの作業時間全体を示すものであっても、作業時間全体のうちのある時刻をピンポイントで示すものであってもよい。また、一つの圃場での作業時間は短くても数十分程度にわたって実施されるので、作業情報取得時刻又は位置取得時刻の指定する最小単位は、１分単位であっても１０分単位であってもよい。
【００８４】
例えば、圃場８Ａで作業を実施した時刻として、作業情報取得時刻「Apr 2 13:20:XX 2012」（指定時刻）が指定され、圃場８Ｂで作業を実施した時刻として、作業情報取得時刻「Apr 2 13:45:XX 2012」（指定時刻）が指定されたとする。ここでは、秒単位での指定は行わず、作業情報取得時刻を分単位で指定したため、作業情報取得時刻の秒を示す桁を「XX」で表している。
【００８５】
指定作業情報抽出部７２ｃは、ステップＳ３０での作業情報取得時刻の指定を受けて、実績情報保存部７１ｃが保存する図６の実績情報テーブル５００を参照する。実績情報テーブル５００において、作業情報取得時刻「Apr 2 13:20:XX 2012」、つまり１３時２０分台の作業情報取得時刻に対応付けられた作業情報を抽出する。この後、指定作業情報抽出部７２ｃは、抽出された作業情報を含む一連の作業情報を、該一連の作業情報に対応付けられた作業機位置と共に実績情報テーブル５００から抽出する。その上で指定作業情報抽出部７２ｃは、抽出された一連の作業情報と作業機位置を用いて抽出作業情報テーブルＲ１を作成する。指定作業情報抽出部７２ｃは、作業情報取得時刻「Apr 2 13:45:XX 2012」、つまり１３時４５分台の作業情報取得時刻に基づいて、同様の方法で抽出作業情報テーブルＲ２を作成する（ステップＳ３１：指定作業情報抽出工程）。
【００８６】
指定作業情報抽出部７２ｃは、抽出作業情報テーブルＲ１及び抽出作業情報テーブルＲ２の作業機位置の作成後、作業場所格納部７３の圃場マップを参照し、抽出作業情報テーブルＲ１及び抽出作業情報テーブルＲ２の作業機位置に該当する圃場を特定する。抽出作業情報テーブルＲ１の作業機位置には圃場８Ａが対応し、抽出作業情報テーブルＲ２の作業機位置には圃場８Ｂが対応するので、指定作業情報抽出部７２ｃは、抽出作業情報テーブルＲ１の作業情報は圃場８Ａのものであり、抽出作業情報テーブルＲ２の作業情報は圃場８Ｂのものであることを特定する（ステップＳ３２）。
【００８７】
なお、この実施形態では、作業情報を抽出するに際して、圃場単位で作業した時刻を指定していたが、時刻の指定は、１日単位であっても、１週間単位であってもよい。例えば、１日単位で時刻を指定した場合、同一日付の作業情報取得時刻に対応する作業情報を抽出することで、圃場８Ａで作業した作業情報と、圃場８Ｂで作業した作業情報との両方を一度に抽出することができる。
【００８８】
本実施形態によっても、以上の動作を経て得られた圃場８Ａ及び圃場８Ｂの抽出作業情報テーブルＲ１，Ｒ２を用いれば、圃場８Ａ及び圃場８Ｂで実施した農作業の日報作成や農作業計画の立案等を行うことができる。
以上のように、本実施形態の作業情報抽出システム１ｃによっても、トラクタ４に保持された農作業の内容を、圃場毎に容易に抽出することができる。本実施形態においては、圃場で農作業を実施した時刻を指定するだけで、各圃場に対応する作業情報を容易かつ簡便に抽出することができる。
【００８９】
つまり、農作業を実施した位置（圃場の位置）は携帯端末３で管理され、実施した農作業の内容はトラクタ４で管理される。従って、作業者は、どの圃場でどのような作業を実施したかについて、作業中に記憶する必要も記録する必要もなくなり、農作業管理の負担を大きく低減することができる。また、農作業の記録における誤りが減少するので、圃場毎の農作業計画の管理負担を軽減することができる。
【００９０】
なお、トラクタ４に設けられた制御部４１、作業情報取得部４３、及び計時部４２、携帯端末３に設けられた位置情報取得部３１、情報処理端末７ｃに設けられた実績情報保存部７１ａ、指定作業情報抽出部７２ｃ、及び作業場所格納部７３は、ＣＰＵなどの演算回路や半導体記憶媒体を含んで構成されたマイクロコントローラ（集積回路）と、この集積回路を動作させるプログラムによって実現されている。
【００９１】
上述の実施形態と同様に、本実施形態においても、情報処理端末７ｃの実績情報保存部７１ａ、指定作業情報抽出部７２ｃ、及び作業場所格納部７３を、携帯端末３に設けて、図９に示す携帯端末３０と同様の構成とすることもできる。
このように情報処理端末７ｃの構成を携帯端末３０内に設けても、上述した動作と同様の動作を経て、各圃場に対応する作業情報を容易かつ簡便に抽出することができる。
【００９２】
［第４実施形態］
本発明の第４実施形態による作業情報抽出システム１ｄについて説明する。
第４実施形態による作業情報抽出システム１ｄは、第２実施形態と同様に、位置情報テーブル３００と作業情報テーブル４００を予め関連付けた（対応付けた）実績情報テーブル５００を作成せずに、作業情報を抽出することができるようにしたものである。しかし、本実施形態における指定作業情報抽出部７２ｄの構成及び動作が、第２実施形態における指定作業情報抽出部７２ｂの構成及び動作とは異なるので、以下に説明する。
【００９３】
図１５に示すように本実施形態による作業情報抽出システム１ｄのブロック図は、第２実施形態による作業情報抽出システム１ｂの構成とほぼ同様であるが、本実施形態における指定作業情報抽出部７２ｄの構成及び動作が、第２実施形態における指定作業情報抽出部７２ｂの構成及び動作とは異なる。
実績情報保存部７１ｂは、図４に示す位置情報テーブル３００と、図５に示す作業情報テーブル４００とを、対応付けることなく別々に保存している。
【００９４】
指定作業情報抽出部７２ｄは、図３に示す位置情報テーブル３００と図５に示す作業情報テーブル４００と指定された時刻（指定時刻）とに基づいて、位置取得時刻に対応付けられた作業機位置を取得して圃場を特定し、指定された指定時刻に対応する作業情報取得時刻での一連の作業情報を取得するものである。
詳しくは、指定作業情報抽出部７２ｄは、情報処理端末７ｄのキーボードやマウスなどの入力装置によって指定時刻が入力されると、位置情報テーブル３００を参照し、指定時刻に対応（一致）する位置取得時刻を抽出する。また、指定作業情報抽出部７２ｄは、作業情報テーブル４００を参照し、指定時刻に対応（一致）する作業情報取得時刻を検出する。その上で指定作業情報抽出部７２ｄは、抽出した位置取得時刻及び作業情報取得時刻と位置情報テーブル３００及び作業情報テーブル４００とを照らし合わせて、位置取得時刻及び作業情報取得時刻に対応する作業機位置と作業情報とを抽出し、その上で指定作業情報抽出部７２ｄは、作業情報と作業機位置とを関連付けて、抽出作業情報テーブルＲ１や抽出作業情報テーブルＲ２を作成する。
【００９５】
図１２及び図１６を参照しながら、本実施形態による作業情報抽出システム１ｄの動作について説明する。図１６は、本実施形態による作業情報抽出システム１ｄの動作を説明するフローチャートである。
図１６のフローチャートに示すステップＳ１０〜Ｓ１４の各動作は、図７に示す第１実施形態のフローチャートにおける同一符号のステップの動作とほぼ同様である。また、図１６に示すステップＳ２０の動作は、図１１に示す第２実施形態のフローチャートにおけるステップＳ２０の動作とほぼ同様であり、図１６に示すステップＳ３０，Ｓ３２の動作は、図１４に示す第３実施形態のフローチャートにおけるステップＳ３０，Ｓ３２の動作とほぼ同様である。従って、図１６のフローチャートに示すステップＳ４０の動作について、以下に説明する。
【００９６】
まずステップＳ３０で、例えば、圃場８Ａで作業を実施した時刻として、作業情報取得時刻「Apr 2 13:20:XX 2012」（指定時刻）が指定され、圃場８Ｂで作業を実施した時刻として、作業情報取得時刻「Apr 2 13:45:XX 2012」（指定時刻）が指定されたとする。ここでは、秒単位での指定は行わず、作業情報取得時刻を分単位で指定したため、作業情報取得時刻の秒を示す桁は、「XX」で表している。
【００９７】
図１２を参照して、指定作業情報抽出部７２ｄは、ステップＳ３０での作業情報取得時刻（指定時刻）の指定を受けて、実績情報保存部７１ｂが保存する図５の作業情報テーブル４００を参照する。指定作業情報抽出部７２ｄは、作業情報テーブル４００において、圃場８Ａで作業を実施した時刻である作業情報取得時刻「Apr 2 13:20:XX 2012」、つまり１３時２０分台の作業情報取得時刻に対応付けられた作業情報を検出する。この後、指定作業情報抽出部７２ｃは、１３時２０分台の作業情報に限らず、検出された１３時２０分台の作業情報を含む一連の作業情報を作業情報テーブル４００から抽出する。その上で指定作業情報抽出部７２ｃは、位置情報テーブル３００を参照して、抽出された一連の作業情報に対応する作業情報取得時刻に一致する位置取得時刻を検出し、検出した位置取得時刻に対応する作業機位置を取得する。これによって、指定作業情報抽出部７２ｃは、該一連の作業情報に対応する作業機位置を取得して抽出作業情報テーブルＲ１を作成する。また、指定作業情報抽出部７２ｄは、圃場８Ｂで作業を実施した時刻である作業情報取得時刻「Apr 2 13:45:XX 2012」、つまり１３時４５分台の作業情報取得時刻に基づいて、同様の方法で抽出作業情報テーブルＲ２を作成する（ステップＳ４０：指定作業情報抽出工程）。
【００９８】
指定作業情報抽出部７２ｄは、抽出作業情報テーブルＲ１及び抽出作業情報テーブルＲ２の作業機位置の作成後、作業場所格納部７３の圃場マップを参照し、上述の第３実施形態で説明した図１４のステップＳ３２と同様の動作で、抽出作業情報テーブルＲ１の作業情報が圃場８Ａのものであり、抽出作業情報テーブルＲ２の作業情報が圃場８Ｂのものであることを特定する（ステップＳ３２）。
【００９９】
本実施形態によっても、以上の動作を経て得られた圃場８Ａ及び圃場８Ｂの抽出作業情報テーブルＲ１，Ｒ２を用いれば、圃場８Ａ及び圃場８Ｂで実施した農作業の日報作成や農作業計画の立案等を行うことができる。
以上のように、本実施形態の作業情報抽出システム１ｄによっても、トラクタ４に保持された農作業の内容を、圃場毎に容易に抽出することができる。本実施形態においては、圃場で農作業を実施した時刻を指定するだけで、各圃場に対応する作業情報を容易かつ簡便に抽出することができる。
【０１００】
つまり、農作業を実施した位置（圃場の位置）は携帯端末３で管理され、実施した農作業の内容はトラクタ４で管理される。従って、作業者は、どの圃場でどのような作業を実施したかについて、作業中に記憶する必要も記録する必要もなくなり、農作業管理の負担を大きく低減することができる。また、農作業の記録における誤りが減少するので、圃場毎の農作業計画の管理負担を軽減することができる。
【０１０１】
なお、トラクタ４に設けられた制御部４１、作業情報取得部４３、及び計時部４２、携帯端末３に設けられた位置情報取得部３１、情報処理端末７ｃに設けられた実績情報保存部７１ｂ、指定作業情報抽出部７２ｄ、及び作業場所格納部７３は、ＣＰＵなどの演算回路や半導体記憶媒体を含んで構成されたマイクロコントローラ（集積回路）と、この集積回路を動作させるプログラムによって実現されている。
【０１０２】
上述の実施形態と同様に、本実施形態においても、情報処理端末７ｄの実績情報保存部７１ｂ、指定作業情報抽出部７２ｄ、及び作業場所格納部７３を、携帯端末３に設けて、図９に示す携帯端末３０と同様の構成とすることもできる。
このように情報処理端末７ｄの構成を携帯端末３０内に設けても、上述した動作と同様の動作を経て、各圃場に対応する作業情報を容易かつ簡便に抽出することができる。
【０１０３】
上述の各実施形態による作業情報抽出システム１ａ〜１ｄは、大規模農業の実現や農作業の効率向上などを目的として組織された、例えば営農集団とよばれるような専門的に農業を営む団体に適している。営農集団とは、個々の農家が個別に管理していた複数の圃場（田圃や畑など）を一括して管理し農作物を生産する団体である。
このように営農集団は、複数の圃場を管理して必要な農作業を適切に実施しなくてはならないが、管理対象として、例えば数百枚にのぼる圃場を有する営農集団も少なくない。そこで、多くの圃場を管理する営農集団は、特に綿密な農作業計画を立てて、農作業を実施している。
【０１０４】
しかし、個々の農家に限らず営農集団にとっても、農作物の生産においては、施肥作業や農薬散布作業など農作業工程の数が多いだけでなく、各農作業工程が実施されるべき適切な時期が決まっている。従って、農作業の各工程を、数百枚にのぼる圃場の各々について、単に実施されたか否かだけでなく実施された時期まで管理することは、非常に煩雑であると共に、管理者である営農集団に多くの負担を要求する作業である。
【０１０５】
従って、上述の各実施形態による作業情報抽出システム１ａ〜１ｄは、農作業の各工程を、数百枚にのぼる圃場の各々について、単に実施されたか否かだけでなく実施された時期まで管理するための業務管理用コンピュータシステム、及びその業務管理用コンピュータシステムを用いる農業事業者等に特に適している。
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。農業機械で取得する作業情報は、上述した散布量等に限定されない。農業機械では、当該農業機械に取り付けられる作業装置の種類に対応して作業情報を取得すればよく、例えば、作業装置が収穫装置である場合には収穫量などを作業情報とすることができる。
【符号の説明】
【０１０６】
１ａ〜１ｄ  作業情報抽出システム
２  衛星測位システム
３  携帯端末
４  トラクタ
５  農家
６  農業管理センター
７ａ〜７ｄ  情報処理端末
８（８Ａ〜８Ｄ）  圃場
２１  測位衛星
３０  携帯端末
３１  位置情報取得部
４１  制御部
４２  計時部
４３  作業情報取得部
７１ａ〜７１ｄ  実績情報保存部
７２ａ〜７２ｄ  指定作業情報抽出部
７３  作業場所格納部
９０  走行車両（走行車体）
９１  エンジン
９２  変速装置
９３  キャビン
９４  運転席
９５  ３点リンク機構
９６  ＰＴＯ軸
９７  肥料散布装置
３００  位置情報テーブル
４００  作業情報テーブル
５００  実績情報テーブル
Ｒ１，Ｒ２  抽出作業情報テーブル
【図１】
0006332896.tif 000002
【図２】
0006332896.tif 000003
【図３】
0006332896.tif 000004
【図４】
0006332896.tif 000005
【図５】
0006332896.tif 000006
【図６】
0006332896.tif 000007
【図７】
0006332896.tif 000008
【図８】
0006332896.tif 000009
【図９】
0006332896.tif 000010
【図１０】
0006332896.tif 000011
【図１１】
0006332896.tif 000012
【図１２】
0006332896.tif 000013
【図１３】
0006332896.tif 000014
【図１４】
0006332896.tif 000015
【図１５】
0006332896.tif 000016
【図１６】
0006332896.tif 000017
【図１７】
0006332896.tif 000018